(57)【要約】【課題】組み立てが容易で十分な強度を有すると共に、組立前の占有体積が非常に小さい二重構造ボックスを提供する。【解決手段】この発明のプランター１００は、組立カバー１１０を備える。この組立カバー１１０は、フロアパネル１１１と、サイドパネル１１２〜１１４と、コーナーパネル１１５とを備える。フロアパネル１１１の上面には嵌合凹部３０１が形成されており、また、サイドパネル１１２〜１１４及びコーナーパネル１１５の底面部には嵌合凸部が形成されている。フロアパネル１１１の嵌合凹部３０１にサイドパネル１１２〜１１４及びコーナーパネル１１５の嵌合凸部に嵌合させることで組立カバー１１０を組み立てたのち、この組立カバー１１０に内側容器１２０を収容することで、プランター１００を完成する。【選択図】図２
2018134000.tif 000002
【特許請求の範囲】
【請求項１】
内側容器と、該内側容器を収容する組立カバーとを備える二重構造ボックスであって、
前記組立カバーは、
上面の外周部に複数の嵌合部が設けられたフロアパネルと、
該フロアパネルの該嵌合部に嵌合させるための複数の第１の被嵌合部が下面に設けられた第１の底面部と、該第１の底面部から略直角な方向に延設された平板状の第１の側面部とを備える、複数のサイドパネルと、
を備えることを特徴とする二重構造ボックス。
【請求項２】
前記フロアパネルの前記嵌合部に嵌合させるための複数の第２の被嵌合部が下面に設けられた第２の底面部と、
該第２の底面部から略直角な方向に延設されて互いに略直交する二つの側面を有する第２の側面部と、
を備える複数のコーナーパネルを更に有することを特徴とする請求項１に記載の二重構造ボックス。
【請求項３】
隣接する２個の前記フロアパネルを連結させるための連結パネルを更に有し、
該連結パネルは、
前記フロアパネルの前記嵌合部に嵌合させるための複数の第３の被嵌合部が下面に設けられると共に、
隣接する他の前記フロアパネルの前記嵌合部に嵌合させるための複数の第４の被嵌合部が下面に設けられた、
ことを特徴とする請求項１又は２に記載の二重構造ボックス。
【請求項４】
前記サイドパネルは、
前記連結パネルを嵌め込む段差部が下端部に設けられると共に、
該段差部の両側に前記第１の底面部の前記第１の被嵌合部が設けられることにより、
前記連結パネルの前記第３の被嵌合部を前記フロアパネルの前記嵌合部に嵌合させた状態で、前記第１の被嵌合部を該フロアパネルの該嵌合部に嵌合させるように構成された、
ことを特徴とする請求項３に記載の二重構造ボックス。
【請求項５】
前記サイドパネルは、前記第１の底面部から水平方向に延設された平板状の第３の底面部を更に備え、且つ、
該第３の底面部には、その下面に、前記フロアパネルの前記嵌合部に嵌合させるための複数の第５の被嵌合部が設けられた、
ことを特徴とする請求項１乃至４の何れかに記載の二重構造ボックス。
【請求項６】
前記内側容器は、開口縁部から外側下方に延設された嵌合縁部を備え、
前記組立カバーは、開口縁部に、外側が窪んだ段差部が設けられ、
該内側容器を該組立カバーに収容する際に、該嵌合縁部を該段差部に嵌め込むようにしたことを特徴とする請求項１乃至５の何れかに記載の二重構造ボックス。
【請求項７】
前記内側容器は、非組み立て時に上側の開口から他の当該内側容器を収容することで重ね合わせられるように、外形が略逆四角錐台状に構成されたことを特徴とする請求項１乃至６の何れかに記載の二重構造ボックス。
【請求項８】
請求項１乃至７の何れかに記載の二重構造ボックスを階段状に複数個積み重ねてなることを特徴とする植物観賞棚。
【発明の詳細な説明】
【技術分野】
【０００１】
この発明は、二重構造ボックスと、この二重構造ボックスを用いて組み立てた植物観賞棚に関する。
【背景技術】
【０００２】
従来より、屋外や屋内に設置して植物鑑賞を行うための栽培容器が知られており、プランターと称されている。更に、従来より、プランターの装飾性を高めるための、プランターカバーが知られている。このようなプランターカバーとしては、例えば、下記特許文献１に記載されたものある。
【０００３】
特許文献１のプランターカバーは、略直方体で上下両面が開口した形状を備えている。このプランターカバーは、飾りボルトと蝶ナットとを用いて側板（化粧パネル及び側面パネル）同士を固定することによって、組み立てられる。そして、受皿上にプランターを設置したのち、その上側から被せるようにしてプランターカバーを設置することで、プランターの側面を覆い隠す。このようなプランターカバーは、プランターのインテリア性を高めることができるため、特に、屋内やベランダ等にプランターを設置して植物鑑賞を行いたい場合に有益である。
【先行技術文献】
【特許文献】
【０００４】
【特許文献１】特開２００４−２６７３２４号公報
【発明の概要】
【発明が解決しようとする課題】
【０００５】
しかしながら、特許文献１のプランターカバーには、上述のように飾りボルトと蝶ナットとを用いて側板同士を固定する構造であるため、その組み立て強度が非常に低いという欠点がある。
【０００６】
また、引用文献１のプランターカバーでは、プランターに植え付けた植物をやや高い視線で鑑賞できるようにしたい場合には、背の高いプランターを使用するか或いは台座上にプランターを設置して、二段重ねのプランターカバー（特許文献１の図１０等参照）で覆い隠すことになる。しかしながら、これらの設置方法は、非常に不安定であり、プランターが転倒するおそれがあって、危険である。
【０００７】
この発明の課題は、組み立てが容易で十分な強度を有すると共に、組立前の占有体積が非常に小さい二重構造ボックスを提供することにある。更に、この発明の課題は、組み立てが容易で十分な強度を有すると共に、組立前の占有体積が非常に小さく、且つ、安定して設置できる植物観賞棚を提供することにある。
【課題を解決するための手段】
【０００８】
かかる課題を解決するために、請求項１の発明に係る二重構造ボックスは、内側容器と、該内側容器を収容する組立カバーとを備える二重構造ボックスであって、前記組立カバーは、上面の外周部に複数の嵌合部が設けられたフロアパネルと、該フロアパネルの該嵌合部に嵌合させるための複数の第１の被嵌合部が下面に設けられた第１の底面部と、該第１の底面部から略直角な方向に延設された平板状の第１の側面部とを備える、複数のサイドパネルと、を備えることを特徴とする。
【０００９】
請求項２の発明は、請求項１に記載の構成に加えて、前記フロアパネルの前記嵌合部に嵌合させるための複数の第２の被嵌合部が下面に設けられた第２の底面部と、該第２の底面部から略直角な方向に延設されて互いに略直交する二つの側面を有する第２の側面部と、を備える複数のコーナーパネルを更に有することを特徴とする。
【００１０】
請求項３の発明は、請求項１又は２に記載の構成に加えて、隣接する２個の前記フロアパネルを連結させるための連結パネルを更に有し、該連結パネルは、前記フロアパネルの前記嵌合部に嵌合させるための複数の第３の被嵌合部が下面に設けられると共に、隣接する他の前記フロアパネルの前記嵌合部に嵌合させるための複数の第４の被嵌合部が下面に設けられたことを特徴とする。
【００１１】
請求項４の発明は、請求項３に記載の構成に加えて、前記サイドパネルは、前記連結パネルを嵌め込む段差部が下端部に設けられると共に、該段差部の両側に前記第１の底面部の前記第１の被嵌合部が設けられることにより、前記連結パネルの前記第３の被嵌合部を前記フロアパネルの前記嵌合部に嵌合させた状態で、前記第１の被嵌合部を該フロアパネルの該嵌合部に嵌合させるように構成されたことを特徴とする。
【００１２】
請求項５の発明は、請求項１乃至４の何れかに記載の構成に加え、前記サイドパネルは、前記第１の底面部から水平方向に延設された平板状の第３の底面部を更に備え、且つ、該第３の底面部には、その下面に、前記フロアパネルの前記嵌合部に嵌合させるための複数の第５の被嵌合部が設けられたことを特徴とする。
【００１３】
請求項６の発明は、請求項１乃至５の何れかに記載の構成に加え、前記内側容器は、開口縁部から外側下方に延設された嵌合縁部を備え、前記組立カバーは、開口縁部に、外側が窪んだ段差部が設けられ、該内側容器を該組立カバーに収容する際に、該嵌合縁部を該段差部に嵌め込むようにしたことを特徴とする。
【００１４】
請求項７の発明は、請求項１乃至６の何れかに記載の構成に加え、前記内側容器は、非組み立て時に上側の開口から他の当該内側容器を収容することで重ね合わせられるように、外形が略逆四角錐台状に構成されたことを特徴とする。
【００１５】
請求項８の発明に係る植物観賞棚は、請求項１乃至７の何れかに記載の組立式ボックスを階段状に積み重ねてなることを特徴とする。
【発明の効果】
【００１６】
請求項１の発明では、組立カバーを、フロアパネルの上面に複数の嵌合部を設けると共に、サイドパネルの第１の底面部に複数の第１の被嵌合部を設け、これらを嵌合させることでフロアパネルにサイドパネルを固定する構造とした。このため、この組立カバーは、組み立てが非常に容易で、十分な強度を有すると共に、組立前（運搬時等）の占有体積が非常に小さい。これにより、請求項１の発明によれば、組み立てが容易で十分な強度を有すると共に、組立前の占有体積が非常に小さい、二重構造ボックスを提供することができる。
【００１７】
請求項２の発明によれば、複数のコーナーボードを更に備えることにより、二重構造ボックスの強度を高めると共に、装飾性をも高めることができる。
【００１８】
請求項３の発明によれば、連結パネルを用いて、隣接する２個のフロアパネルを十分に強固に連結することができ、従って、装飾性を損なうこと無しに、簡単な組み立て作業で、安定して複数の二重構造ボックスを連結することができる。
【００１９】
請求項４の発明によれば、サイドパネルに設けた段差部を用いて、フロアパネル上の同じ場所に、このサイドパネルと連結パネルとを固定することができる。これにより、装飾性を損なうこと無しに、簡単な組み立て作業で安定して複数の二重構造ボックスを連結することができる。
【００２０】
請求項５の発明によれば、サイドパネルを用いて、隣接する２個のフロアパネルを十分に強固に連結することができ、従って、二重構造ボックスの強度や安定性を更に高めることができる。
【００２１】
請求項６の発明によれば、内側容器を組立カバーに収容する際に、この内側容器の開口縁部をこの組立カバーの開口縁部に強固に固定できる。
【００２２】
請求項７の発明によれば、内側容器の外形を略逆四角錐台状にして、非組み立て時に上側の開口から他の当該内側容器を収容することで重ね合わせられるようにしたので、組立前（運搬時等）の占有体積が更に小さくなる。
【００２３】
請求項８の発明によれば、組み立てが容易で、安定性に優れ、且つ、組み立て前の占有体積が小さい植物観賞棚を提供できる。
【図面の簡単な説明】
【００２４】
【図１】この発明の実施の形態１に係る二重構造ボックス（プランター）の全体構造を概略的に示す外観斜視図である。
【図２】図１に示した二重構造ボックスに使用する組立カバーの全体構造を概略的に示す外観斜視図である。
【図３】図２に示した組立カバーのフロアパネルを概略的に示す外観斜視図である。
【図４】図２に示した組立カバーのサイドパネルの一例を概略的に示す外観斜視図である。
【図５】（ａ）、（ｂ）共に、図２に示した組立カバーの、他のサイドパネルの例を概略的に示す外観斜視図である。
【図６】図１に示した二重構造ボックスの概略的断面図である。
【図７】図２に示した組立カバーのコーナーパネルを概略的に示す外観斜視図である。
【図８】図１に示した二重構造ボックスに使用する内側容器の全体構造を概略的に示す外観斜視図である。
【図９】図８に示した内側容器を重ね合わせた状態を概略的に示す斜視図である。
【図１０】この発明の実施の形態２に係る二重構造ボックス（ボトムアップボックス）の全体構造を概略的に示す外観斜視図である。
【図１１】図１０に示した二重構造ボックスに使用する組立カバーの全体構造を概略的に示す外観斜視図である。
【図１２】図１０に示した二重構造ボックスに使用する内側容器の全体構造を概略的に示す外観斜視図である。
【図１３】この発明の実施の形態３に係る植物観賞棚の全体構造を概略的に示す外観斜視図である。
【図１４】図１３に示した植物観賞棚に使用する連結パネルを概略的に示す外観斜視図である。
【図１５】図１３に示した植物観賞棚に使用する連結用サイドパネルを概略的に示す外観斜視図である。
【図１６】図１４に示した連結パネルの使用方法を説明する概略的断面図である。
【発明を実施するための形態】
【００２５】
［発明の実施の形態１］
以下、この発明の実施の形態１として、この発明に係る二重構造ボックスをプランターに適用した例について、図１乃至図９を用いて説明する。
【００２６】
図１及び図６に示したように、この実施の形態のプランター１００は、組立カバー１１０に内側容器１２０を収容することで構成されている。
【００２７】
この組立カバー１１０は、図２に示したように、フロアパネル１１１と、三種類のサイドパネル１１２〜１１４と、コーナーパネル１１５とを備えている。
【００２８】
フロアパネル１１１は、組立カバー１１０の底面部を構成する（図２参照）。このフロアパネル１１１は、図３に示したように、矩形の板状に形成される。そして、このフロアパネル１１１の表面には、その外周に沿って、「嵌合部」としての多数の嵌合凹部３０１が、所定ピッチで形成されている。これらの嵌合凹部３０１は、サイドパネル１１２〜１１４及びコーナーパネル１１５をフロアパネル１１１上に固定するために使用される（後述）。
【００２９】
更に、このフロアパネル１１１の表面中央部分には、例えば二個の、通気・排水用の底孔３０２が設けられると共に、多数の嵌合凸部３０３が設けられている。これらの嵌合凸部３０３は、内側容器１２０の底面に設けられた底穴１２１（図８参照、後述）に嵌合させて、この内側容器１２０を固定するために使用される。なお、底穴１２１に代えて、内側容器１２０の底面に嵌合凹部を設けることとしてもよい。
【００３０】
サイドパネル１１２〜１１４は、それぞれ一対ずつ備えられており、組立カバー１１０の側面を構成する（図１及び図２参照）。
【００３１】
このうち、サイドパネル１１２は、図４に示すように、「第１の底面部」としての三個の底面部４０１と、「第１の側面部」としての側面部４０２とを備えている。
【００３２】
底面部４０１の下面には、「第１の被嵌合部」としての嵌合凸部４０１ａが、それぞれ複数個ずつ、所定ピッチで形成されている。そして、これらの嵌合凸部４０１ａを、フロアパネル１１１の嵌合凹部３０１にそれぞれ嵌め込むことで、このフロアパネル１１１上に、このサイドパネル１１２が固定される。
【００３３】
側面部４０２は、この底面部４０１から上方へ、略垂直に延設されて、この組立カバー１１０の長辺側の側面の一部を形成する。また、この底面部４０１とこの側面部４０２との間には、組立カバー１１０の強度を向上させるために、外観が略三角形の、四個の補強材４０３が設けられている。
【００３４】
三個の底面部４０１の間には、それぞれ隙間４０４が設けられている（図１、図２及び図４参照）。これらの隙間４０４は、二枚のフロアパネル１１１を連結パネルで固定する場合に、使用される（後述）。なお、装飾性の観点から、連結パネルを使用しない場合に、目隠し材（図示せず）を用いて隙間４０４を塞ぐこととしてもよい。
【００３５】
一方、サイドパネル１１３は、図５（ａ）に示すように、「第１の底面部」としての二個の底面部５０１と、「第１の側面部」としての側面部５０２とを備えている。
【００３６】
底面部５０１の下面には、「第１の被嵌合部」としての嵌合凸部５０１ａが、それぞれ複数個ずつ、所定ピッチで形成されている。上記サイドパネル１１２の嵌合凸部４０１ａと同様、これらの嵌合凸部５０１ａは、フロアパネル１１１上にサイドパネル１１３を固定するために使用される。
【００３７】
側面部５０２は、この底面部５０１から上方へ、略垂直に延設されて、この組立カバー１１０の長辺側の側面の一部を形成する。また、この底面部５０１とこの側面部５０２との間には、組立カバー１１０の強度を向上させるために、外観が略三角形の、二個の補強材５０３が設けられている。
【００３８】
二個の底面部４０１の間には、上述したサイドパネル１１２の隙間４０４と同様の、隙間５０４が設けられている。
【００３９】
サイドパネル１１４は、図５（ｂ）に示すように、「第１の底面部」としての一個の底面部６０１と、「第１の側面部」としての側面部６０２とを備えている。
【００４０】
底面部６０１の下面には、「第１の被嵌合部」としての嵌合凸部６０１ａが、複数個、所定ピッチで形成されている。上記サイドパネル１１２、１１３の嵌合凸部４０１ａ、５０１ａと同様、これらの嵌合凸部６０１ａは、フロアパネル１１１上にサイドパネル１１４を固定するために使用される。
【００４１】
側面部６０２は、この底面部６０１から上方へ、略垂直に延設されて、この組立カバー１１０の短辺側の側面の一部を形成する。また、この底面部６０１とこの側面部６０２との間には、組立カバー１１０の強度を向上させるために、外観が略三角形の、一個の補強材６０３が設けられている。
【００４２】
なお、図５（ａ）から分かるように、サイドパネル１１４には隙間が設けられていないが、サイドパネル１１２、１１３（図４、図５（ａ）等参照）と同様の隙間を設けてもよいことはもちろんである。
【００４３】
コーナーパネル１１５は、組立カバー１１０の四個のコーナーに配置されて、これらコーナーの側面部をそれぞれ構成する（図２等参照）。これらのコーナーパネル１１５は、図７に示したように、「第２の底面部」としての底面部７０１と、「第２の側面部」としての側面部７０２とを備えている。
【００４４】
底面部７０１の下面には、「第２の被嵌合部」としての嵌合凸部７０１ａが、それぞれ複数個ずつ、所定ピッチで形成されている。そして、これらの嵌合凸部７０１ａを、フロアパネル１１１の嵌合凹部３０１にそれぞれ嵌め込むことで、このフロアパネル１１１上に、このコーナーパネル１１５が固定される。
【００４５】
側面部７０２は、互いに略直交する二個の側面７０２ａ、７０２ｂを有している。これらの側面７０２ａ、７０２ｂは、それぞれ、底面部７０１から上方へ、略垂直に延設されて、この組立カバー１１０のコーナー部の側面を形成する。
【００４６】
この実施の形態に係るプランター１００の内側容器１２０は、図８に示すように、その外形が略逆四角錐台状を成すように構成されている。そして、この内側容器１２０の底面には、多数の底穴１２１が設けられている。そして、内側容器１２０を組立カバー１１０に収容する際に、これらの底穴１２１を、フロアパネル１１１の嵌合凸部３０３（図３参照）に嵌合させることで、この内側容器１２０の底部がフロアパネル１１１に固定される。
【００４７】
また、図６に示したように、この内側容器１２０の開口縁部には、外側下方向に延設された嵌合縁部１２２が形成されている。一方、組立カバー１１０の開口縁部（すなわち、サイドパネル１１２〜１１４及びコーナーパネル１１５の、側面部４０２，５０２，６０２，７０２の上端）には、外側が窪んだ段差部１１０ａが設けられている。そして、内側容器１２０を組立カバー１１０に収容する際に、この内側容器１２０の嵌合縁部１２２を、段差部１１０ａに嵌め込むことにより、この内側容器１２０の上部が、サイドパネル１１２〜１１４及びコーナーパネル１１５に固定される。
【００４８】
このように、この実施の形態１によれば、内側容器１２０の底部及び開口部の両方を組立カバー１１０に固定するので、組立時に、内側容器１２０を組立カバー１１０に強固に固定することができる。
【００４９】
上述のように、この実施の形態１では、内側容器１２０は、その外形が略逆四角錐台状になるように構成されている。このため、図９に示すように、上側の開口から他の内側容器を収容することで、これら複数の内側容器１２０を互いに重ね合わせることができる。その結果、組立前（運搬時等）に、内側容器１２０の占有体積を、非常に小さくすることができる。
【００５０】
このようなプランター１００を組み立てる際には、まず、フロアパネル１１１の外周に沿って、サイドパネル１１２〜１１４及びコーナーパネル１１５を、図２に示すように配設・固定することで、組立カバー１１０を組み立てる。この実施の形態１では、このフロアパネル１１１の嵌合凹部３０１に嵌合凸部４０１ａ、５０１ａ、６０１ａ、７０１ａを嵌合させるだけでサイドパネル１１２〜１１４及びコーナーパネル１１５を配設・固定できるため、組立カバー１１０の組み立ては、非常に簡単である。
【００５１】
その後、この組立カバー１１０に、内側容器１２０を収容することで、プランター１００の組み立てが終了する。
【００５２】
以上説明したように、この実施の形態１によれば、組立カバー１１０を、フロアパネル１１１の嵌合凹部３０１と、サイドパネル１１２〜１１４及びコーナーパネル１１５の嵌合凸部４０１ａ、５０１ａ、６０１ａ、７０１ａとを嵌合させることで、フロアパネル１１１上にサイドパネル１１２〜１１４及びコーナーパネル１１５を固定する構造とした。このため、この組立カバー１１０は、組み立てが容易で、十分な強度を有すると共に、組立前（運搬時等）の占有体積が非常に小さい。
【００５３】
また、内側容器１２０も、その外形を略逆四角錐台状にして、非組み立て時に上側の開口から他の当該内側容器を収容することで重ね合わせられるようにしたので、組立前（運搬時等）の占有体積が非常に小さい。
【００５４】
［発明の実施の形態２］
以下、この発明の実施の形態２として、この発明に係る二重構造ボックスを、ボトムアップボックスに適用した例について、図１０乃至図１２を用いて説明する。
【００５５】
図１０乃至図１２に示したように、この実施の形態２に係るボトムアップボックス１０００は、組立カバー１１００と、内側容器１２００とを備えている。更に、このボトムアップボックス１０００は、上の段に配置される組立カバーのフロアパネル１１５０を固定することができる（後述）。
【００５６】
この組立カバー１１００は、図１１に示したように、フロアパネル１１１０と、二種類のサイドパネル１１２０、１１３０と、コーナーパネル１１４０とを備えている。
【００５７】
フロアパネル１１１０は、上記実施の形態１のフロアパネル１１１と同様、矩形の板状に形成され、その外周に沿って、「嵌合部」としての多数の嵌合凹部１１１１が、所定ピッチで形成されている。上記実施の形態１と同様、これらの嵌合凹部１１１１は、サイドパネル１１２０、１１３０及びコーナーパネル１１４０をフロアパネル１１１０上に固定するために使用される（後述）。
【００５８】
更に、このフロアパネル１１１０の表面中央部分には、上記実施の形態１と同様、一個又は複数個の底孔（図示せず）が設けられると共に、多数の嵌合凸部１１１２が設けられている。これらの嵌合凸部１１１２は、内側容器１２００の底面に設けられた底穴１２０１（図１２参照）に嵌合させて、この内側容器１２００を固定するために使用される。なお、底穴１２０１に代えて、内側容器１２００の底面に嵌合凹部を設けることとしてもよい。
【００５９】
サイドパネル１１２０、１１３０は、上記実施の形態１のサイドパネルと同様、「第１の底面部」としての底面部１１２１、１１３１と、「第１の側面部」としての側面部１１２２、１２３２とを備えている。そして、上記実施の形態１のサイドパネル１１２〜１１４と同様にして、底面部１１２１、１１３１の下面に形成された嵌合凸部（図示せず）をフロアパネル１１１０の嵌合凹部１１１１に嵌合させることで、このフロアパネル１１１０に固定される。
【００６０】
また、この実施の形態２のサイドパネル１１２０にも、隙間１１２３が設けられている（図１０及び図１１参照）。これらの隙間１１２３は、二枚のフロアパネル１１１０を連結パネルで固定する場合に、使用される（後述）。なお、サイドパネル１１３０にも連結パネル用の隙間を設けてよいことは、もちろんである。
【００６１】
コーナーパネル１１４０は、上記実施の形態１のコーナーパネルと同様、「第２の底面部」としての底面部１１４１と、「第２の側面部」としての側面部１１４２とを備えている。そして、上記実施の形態１のコーナーパネル１１５と同様にして、底面部１１４１の下面に形成された嵌合凸部（図示せず）をフロアパネル１１１０の嵌合凹部１１１１に嵌合させることで、このフロアパネル１１１０に固定される。
【００６２】
内側容器１２００は、上記実施の形態１と同様、組立カバー１１００内に収容される。この内側容器１２００は、その外形が略逆四角錐台状を成すように構成されている。これにより、上側の開口から他の当該内側容器を収容することで、これら複数の内側容器１２００を互いに重ね合わせることができる。
【００６３】
上述のように、この実施の形態２に係るボトムアップボックス１０００は、上の段に配置される組立カバーのフロアパネル１１１０を固定することができる（図１０参照）。上の段のフロアパネル１１５０を固定するためには、例えば、そのフロアパネル１１５０の四隅のねじ孔１３０１、内側容器１２００の四隅のねじ孔１２０２（図１２参照）及びフロアパネル１１１０の四隅のねじ孔（図示せず）に、それぞれ長ねじボルト１１５１（図１１参照）を挿通して、ナット１１５２で締め付ければ良い。
【００６４】
そして、この上の段のフロアパネル１１１０にサイドパネルやコーナーパネルを嵌合固定することで、上の段の組立カバーを組み立てることができ、更に、その組立カバーに、上記実施の形態１と同様の内側容器を収容することで、背の高いプランターを得ることができる。
【００６５】
なお、上の段のフロアパネル１１１０を、ボトムアップボックス１０００の蓋として使用してもよいことはもちろんである。
【００６６】
また、上の段のフロアパネル１１１０に、更にボトムアップボックス１０００を組み立てても良いことも、もちろんである。
【００６７】
以上説明したように、この実施の形態２によれば、上記実施の形態１と同様の理由により、組み立てが容易で十分な強度を有すると共に、組立前の占有体積が非常に小さい、ボトムアップボックス１０００を提供することができる。
【００６８】
また、ボトムアップボックス１０００に、上の段のフロアパネル１１１０を固定できるので、背が高く且つ強度が十分なプランターやボトムアップボックスを、容易に組み立てることができる。
【００６９】
［発明の実施の形態３］
以下、この発明の実施の形態３として、この発明に係る二重構造ボックスを用いて植物観賞棚を組み立てる例について、図１３〜図１５等を用いて説明する。
【００７０】
図１３に示したように、この実施の形態３に係る植物観賞棚１３００は、上記実施の形態１、２とほぼ同様のプランター１００及びボトムアップボックス１０００を用いて構成できる。
【００７１】
すなわち、この実施の形態３に係る植物観賞棚１３００では、上記実施の形態２（図１０参照）とほぼ同様のボトムアップボックス１０００の上面にフロアパネル１１１０を固定し、このフロアパネル１１１０上に、上記実施の形態１（図１参照）とほぼ同様のプランター１００を配置することで、上棚１３１０，１３２０が構成される。
【００７２】
また、下棚１３３０、１３４０としては、上記実施の形態１に係るプランター１００とほぼ同様のものが使用される。
【００７３】
但し、この実施の形態３の植物観賞棚１３００では、以下のようにして、隣接するプランター１００やボトムアップボックス１０００を互いに連結固定する。
【００７４】
まず、この実施の形態３では、連結パネル１４００（図１４参照）と連結用サイドパネル１５００（図１５参照）とを用いて、隣接するプランター１００とボトムアップボックス１０００とを連結する。
【００７５】
図１４及び図１６に示したように、この連結パネル１４００は、その長手方向の両端部に、「第３の嵌合部」としての複数の嵌合凸部１４０１と、「第４の嵌合部」としての複数の嵌合凸部１４０２とが、それぞれ所定ピッチで形成されている。これらの嵌合凸部１４０１を、フロアパネル１１１の嵌合凹部３０１に嵌め込むと共に、これらの嵌合凸部１４０２を、フロアパネル１１１０の嵌合凹部１１１１に嵌め込むことにより、この連結パネル１４００で、これらフロアパネル１１１、１１１０が連結される（図１６参照）。
【００７６】
一方、連結用サイドパネル１５００は、図１５に示したように、「第１の底面部」としての底面部１５０１と、「第３の底面部」としての底面部１５０２と、側面部１５０３と、補強材１５０４とを備えている。この底面部１５０２は、底面部１５０１を水平方向に延設することで、１枚の平板状に形成されている。
【００７７】
底面部１５０１の下面には、「第１の被嵌合部」としての複数の嵌合凸部１５０１ａと、「第５の嵌合部」としての複数の嵌合凸部１５０２ａとが、所定ピッチで形成されている。これらの嵌合凸部１５０１ａ、１５０１は、隣接して配置されたフロアパネル１１１、１１１０の嵌合凹部３０１、１１１１に、同時に嵌め込むことができるように形成されている。
【００７８】
側面部１５０３は、この底面部１５０１の中央部分から上方へ、略垂直に延設されている。この側面部１５０３により、連結される二つの組立カバー１１０、１１００の長辺側の側面の一部が形成される。
【００７９】
補強材１５０４は、略三角形の外観を有し、底面部１５０１と側面部１５０３との強度を向上させるために形成されている。
【００８０】
この実施の形態３に係る植物観賞棚１３００を組み立てる際には、まず、プランター１００のフロアパネル１１１とボトムアップボックス１０００のフロアパネル１１１０とを並べて配置したのち、これらフロアパネル１１１、１１１０の所定位置の嵌合凹部３０１、１１１１に、同一の連結パネル１４００の嵌合凸部１４０１を嵌合させることで、これらフロアパネル１１１、１１１０を連結固定する。
【００８１】
そして、この状態で、フロアパネル１１１、１１１０にサイドパネル１１２、１１３、１１２０、１１３０を嵌合固定する。
【００８２】
このとき、サイドパネル１１２、１１３、１１２０には隙間４０４、５０４、１１２１が設けられており（図２、図１１等参照）、これらの隙間４０４、５０４、１１２１が連結パネル１４００に嵌め込まれるようにする。
【００８３】
また、隣接するプランター１００同士及び隣接するボトムアップボックス１０００同士については、フロアパネル１１１、１１１０を並べて配置したのち、これらフロアパネル１１１、１１１０の所定位置の嵌合凹部３０１、１１１１に、同一の連結用サイドパネル１５００の嵌合凸部１５０１ａ、１５０２ａを嵌合させることにより、これらフロアパネル１１１、１１１０を連結固定する。このように、この実施の形態３では、上記実施の形態１、２のサイドパネル１１４、１１３０に代えて、連結用サイドパネル１５００を使用する。
【００８４】
そして、コーナーパネル１１５、１１４０を嵌合固定することにより、組立カバー１１０、１１００を、それぞれ組み立てる。
【００８５】
このようにして、相互に連結された状態の組立カバー１１０、１１００を組み立てたのち、上記実施の形態１、２と同様にして、プランター１００及びボトムアップボックス１０００を組み立てることにより、植物観賞棚１３００を完成させることができる。
【００８６】
なお、プランター１００やボトムアップボックス１０００の寸法は、全て同一であっても良いが、寸法の違うものを組み合わせても良い。図１３の例では、長手方向の寸法が長いものと短いものとを組み合わせて利用している。
【００８７】
以上説明したように、この実施の形態３によれば、組み立てが容易で、安定性に優れ、且つ、組み立て前の占有体積が小さい植物観賞棚を提供できる。
【符号の説明】
【００８８】
１００  プランター
１１０、１１００  組立カバー
１１１、１１１０  フロアパネル
１１２、１１３、１１４、１１２０、１１３０  サイドパネル
１１５、１１４０  コーナーパネル
１２０、１２００  内側容器
１０００  ボトムアップボックス
１３００  植物観賞棚
１３１０、１３２０  上棚
１３３０、１３４０  下棚
１４００  連結パネル
１５００  連結用サイドパネル
【図１】
2018134000.tif 000003
【図２】
2018134000.tif 000004
【図３】
2018134000.tif 000005
【図４】
2018134000.tif 000006
【図５】
2018134000.tif 000007
【図６】
2018134000.tif 000008
【図７】
2018134000.tif 000009
【図８】
2018134000.tif 000010
【図９】
2018134000.tif 000011
【図１０】
2018134000.tif 000012
【図１１】
2018134000.tif 000013
【図１２】
2018134000.tif 000014
【図１３】
2018134000.tif 000015
【図１４】
2018134000.tif 000016
【図１５】
2018134000.tif 000017
【図１６】
2018134000.tif 000018